(57)【特許請求の範囲】
【請求項１】
店舗等において商品の精算を行うカウンタ上に移動可能に配置されるＰＯＳレジスタ載置台であって、
該ＰＯＳレジスタ載置台は、
ＰＯＳレジスタを固定する為の接続部と、
前記カウンタに対してＰＯＳレジスタを立設支持する底面と、
買物に供する備品等を取り出し可能に保持する備品収納部と、
を備え、
前記接続部は、前記ＰＯＳレジスタ載置台の側部に配置され、立設固定されるＰＯＳレジスタと対面する精算者との間に位置する前記ＰＯＳレジスタ載置台の表面に商品載置部が形成されていることを特徴とするＰＯＳレジスタ載置台。
【請求項２】
店舗等において商品の精算を行うカウンタ上に移動可能に配置されるＰＯＳレジスタ載置台であって、
該ＰＯＳレジスタ載置台は、
ＰＯＳレジスタを固定する為の接続部と、
前記カウンタに対してＰＯＳレジスタを立設支持する底面と、
買物に供する備品等を取り出し可能に保持する備品収納部と、
を備え、
前記備品収納部は、前記ＰＯＳレジスタ載置台の厚さ内に引き出しをスライド可能に装着し、且つ前記ＰＯＳレジスタ載置台の天板に前記引き出しのスライド方向先端側を露出させる切欠き部を形成したことを特徴とするＰＯＳレジスタ載置台。
【請求項３】
店舗等において商品の精算を行うカウンタ上に移動可能に配置されるＰＯＳレジスタ載置台であって、
該ＰＯＳレジスタ載置台は、
ＰＯＳレジスタを固定する為の接続部と、
前記カウンタに対してＰＯＳレジスタを立設支持する底面と、
買物に供する備品等を取り出し可能に保持する備品収納部と、
を備え、
前記ＰＯＳレジスタ載置台における備品収納部を設けた辺と交差する側辺上に第二備品収納部を設けたことを特徴とするＰＯＳレジスタ載置台。
【請求項４】
店舗等において商品の精算を行うカウンタ上に移動可能に配置されるＰＯＳレジスタ載置台を備えるＰＯＳレジスタ機器であって、
前記ＰＯＳレジスタ載置台は、
ＰＯＳレジスタを固定する為の接続部と、
前記カウンタに対してＰＯＳレジスタを立設支持する底面と、
買物に供する備品等を取り出し可能に保持する備品収納部と、
を備え、
前記接続部は、前記ＰＯＳレジスタ載置台の側部に配置され、立設固定されるＰＯＳレジスタと対面する精算者との間に位置する前記ＰＯＳレジスタ載置台の表面に商品載置部が形成されていることを特徴とするＰＯＳレジスタ載置台を備えるＰＯＳレジスタ機器。
【請求項５】
前記備品収納部は、前記ＰＯＳレジスタ載置台における前記ＰＯＳレジスタの固定位置と反対側の端部で且つＰＯＳレジスタと対面する精算者と対向する位置に配置され、更に前記ＰＯＳレジスタ載置台の厚さ内に形成されていることを特徴とする請求項４記載のＰＯＳレジスタ載置台を備えるＰＯＳレジスタ機器。
【請求項６】
前記備品収納部は、前記ＰＯＳレジスタ載置台の厚さ内に引き出しをスライド可能に装着し、且つ前記ＰＯＳレジスタ載置台の天板に前記引き出しのスライド方向先端側を露出させる切欠き部を形成したことを特徴とする請求項４又は５記載のＰＯＳレジスタ載置台を備えるＰＯＳレジスタ機器。
【請求項７】
前記ＰＯＳレジスタ載置台における備品収納部を設けた辺と交差する側辺上に第二備品収納部を設けたこと特徴とする請求項４乃至６の何れか１項記載のＰＯＳレジスタ載置台を備えるＰＯＳレジスタ機器。
【請求項８】
店舗等において商品の精算を行うカウンタ上に移動可能に配置されるＰＯＳレジスタ載置台を備えるＰＯＳレジスタ機器であって、
前記ＰＯＳレジスタ載置台は、
ＰＯＳレジスタを固定する為の接続部と、
前記カウンタに対してＰＯＳレジスタを立設支持する底面と、
買物に供する備品等を取り出し可能に保持する備品収納部と、
を備え、
前記備品収納部は、前記ＰＯＳレジスタ載置台の厚さ内に引き出しをスライド可能に装着し、且つ前記ＰＯＳレジスタ載置台の天板に前記引き出しのスライド方向先端側を露出させる切欠き部を形成したことを特徴とするＰＯＳレジスタ載置台を備えるＰＯＳレジスタ機器。
【請求項９】
店舗等において商品の精算を行うカウンタ上に移動可能に配置されるＰＯＳレジスタ載置台を備えるＰＯＳレジスタ機器であって、
前記ＰＯＳレジスタ載置台は、
ＰＯＳレジスタを固定する為の接続部と、
前記カウンタに対してＰＯＳレジスタを立設支持する底面と、
買物に供する備品等を取り出し可能に保持する備品収納部と、
を備え、
前記ＰＯＳレジスタ載置台における備品収納部を設けた辺と交差する側辺上に第二備品収納部を設けたことを特徴とするＰＯＳレジスタ載置台を備えるＰＯＳレジスタ機器。
【発明の詳細な説明】
【技術分野】
【０００１】
本発明は購入商品の精算の際に利用するＰＯＳレジスタをカウンタへ配置するＰＯＳレジスタ載置台及びＰＯＳレジスタ載置台を備えるＰＯＳレジスタ機器に関する。
【背景技術】
【０００２】
購入商品の登録／精算を行うＰＯＳレジスタは精算場所のカウンタ上に配置される。そして、特に直立状のＰＯＳレジスタをカウンタ上に配置するに際しては、該ＰＯＳレジスタに精算者が寄りかかる、或いは地震などの揺れによって倒れたりしないよう安定性を高める為に、カウンタに対してＰＯＳレジスタをネジ止めなどによって固定している（例えば、特許文献１参照）。
【０００３】
しかしながら、上記のようにネジ止め固定すると、ＰＯＳレジスタの配置位置が固定される。しかし、店舗等においては店舗内のレイアウト変更に伴いＰＯＳレジスタの配置位置も変更することがあるが、前記のようにネジ止めによる固定の場合、孔位置が決まってしまうため容易にＰＯＳレジスタの配置位置を変更することはできなかった。
【０００４】
又、ＰＯＳレジスタを移動させるとき、買物時、お客に提供されるビニール袋や箸等の備品が収納されたケース類も移動させたほうがより精算効率が上がるが、通常、前記備品等はカウンタ内部に収納されており、従って移動先のカウンタ内部に収納スペースを確保しなければならず、備品等の配置位置の移動も容易ではなかった。
【０００５】
【特許文献１】特開平５‐２２５４４１号公報
【発明の開示】
【発明が解決しようとする課題】
【０００６】
本発明は上記従来の技術が有する問題点に鑑みてなされたもので、その目的とするところは、ＰＯＳレジスタをカウンタ上に安定して配置でき、且つＰＯＳレジスタの配置位置変更にも容易に対応でき、更に買物袋等の備品の配置変更も容易にできるＰＯＳレジスタ載置台及びＰＯＳレジスタ載置台を備えるＰＯＳレジスタ機器を提供することにある。
【課題を解決するための手段】
【０００７】
上記目的を達成する為に本発明のＰＯＳレジスタ載置台は、店舗等において商品の精算を行うカウンタ上に移動可能に配置されるＰＯＳレジスタ載置台であって、該載置台は、ＰＯＳレジスタを固定する為の接続部と、前記カウンタに対してＰＯＳレジスタを立設支持する底面と、買物に供する備品等を取り出し可能に保持する備品収納部と、を備え、前記接続部は、載置台平面内の何れの位置にあってもよいが、載置台の側部（対向する精算者に対し奥側）に配置し、立設固定されるＰＯＳレジスタと対面する精算者との間に位置する載置台の表面に商品載置部が形成される（請求項１）。
前記載置台は、扁平箱状の中空平板、或いは中実の平板の何れでもよい。
前記接続部は、該載置台が扁平箱状の中空平板である場合、天板に開設したネジ通し孔とそのネジ通し孔を包含する底板に開設した開口部で、その開口部を介して天板上に載置したＰＯＳレジスタをネジ止め固定する。又、載置台が中実の平板である場合、接続部はネジ止め固定するネジ通し孔とそのネジの頭部が嵌る凹部（座繰り）とする。
前記備品収納部としては、備品を収納する凹部（容器）形状や筒形状の形態に限らず、ビニール袋などを引掛け保持する掛け枠等の形態を含み、載置台の面内に配置する。
上記手段によれば、ＰＯＳレジスタは接続部によって載置台に確実に載置固定でき、しかも載置台はカウンタ上を移動可能であるため、レジの配置位置を自由に変更できる。そして、載置台には買い物に供する備品を収納する備品収納部が備えられているため、ＰＯＳレジスタの配置位置変更と共に備品も移動できる。
また、上記手段によれば、ＰＯＳレジスタの前に精算者が立った場合、該ＰＯＳレジスタより手前位置に、買い物する商品を置く為のスペースである商品載置部を設けることで、精算作業を安定して効率よく行うことができる。
【０００８】
本発明のＰＯＳレジスタ載置台は、店舗等において商品の精算を行うカウンタ上に移動可能に配置されるＰＯＳレジスタ載置台であって、該載置台は、ＰＯＳレジスタを固定する為の接続部と、前記カウンタに対してＰＯＳレジスタを立設支持する底面と、買物に供する備品等を取り出し可能に保持する備品収納部と、を備え、前記備品収納部は載置台の厚さ内に引き出しをスライド可能に装着し、且つ前記載置台の天板に前記引き出しのスライド方向先端側を露出させる切欠き部を形成してもよい（請求項２）。
上記手段によれば、引き出しを引き出すことで備品の収納、取り出しを容易に行うことができる。しかも、載置台の天板の手前側に切欠き部が形成されていることで、引き出しを引き出さなくても該引き出しに収納されている備品を視認でき、精算者への備品の提供は勿論のこと、備品の補充作業を容易に行うことができる。
【０００９】
本発明のＰＯＳレジスタ載置台は、店舗等において商品の精算を行うカウンタ上に移動可能に配置されるＰＯＳレジスタ載置台であって、該載置台は、ＰＯＳレジスタを固定する為の接続部と、前記カウンタに対してＰＯＳレジスタを立設支持する底面と、買物に供する備品等を取り出し可能に保持する備品収納部と、を備え、前記備品収納部としては載置台の厚さ内に設ける他に、前記備品収納部を設けた辺と交差する側辺上に第二備品収納部を設けてもよい（請求項３）。その第二備品収納部は箱形状、掛け枠形状など、いずれでもよい。
上記手段によれば、載置台の厚さ内に設けた備品収納部の他に、載置台上に第二の備品収納部があることで、より多くの備品を収納でき、顧客への備品提供の満足度を高めることができる。
【００１０】
本発明のＰＯＳレジスタ載置台を備えるＰＯＳレジスタ機器は、店舗等において商品の精算を行うカウンタ上に移動可能に配置されるＰＯＳレジスタ載置台であって、該載置台は、ＰＯＳレジスタを固定する為の接続部と、前記カウンタに対してＰＯＳレジスタを立設支持する底面と、買物に供する備品等を取り出し可能に保持する備品収納部と、を備え、前記接続部は、載置台平面内の何れの位置にあってもよいが、載置台の側部（対向する精算者に対し奥側）に配置し、立設固定されるＰＯＳレジスタと対面する精算者との間に位置する載置台の表面に商品載置部が形成される（請求項４）。
前記載置台は、扁平箱状の中空平板、或いは中実の平板の何れでもよい。前記接続部は、該載置台が扁平箱状の中空平板である場合、天板に開設したネジ通し孔とそのネジ通し孔を包含する底板に開設した開口部で、その開口部を介して天板上に載置したＰＯＳレジスタをネジ止め固定する。又、載置台が中実の平板である場合、接続部はネジ止め固定するネジ通し孔とそのネジの頭部が嵌る凹部（座繰り）とする。
前記備品収納部としては、備品を収納する凹部（容器）形状や筒形状の形態に限らず、ビニール袋などを引掛け保持する掛け枠等の形態を含み、載置台の面内に配置する。
上記手段によれば、ＰＯＳレジスタは接続部によって載置台に確実に載置固定でき、しかも載置台はカウンタ上を移動可能であるため、レジの配置位置を自由に変更できる。そして、載置台には買い物に供する備品を収納する備品収納部が備えられているため、ＰＯＳレジスタの配置位置変更と共に備品も移動できる。
また、上記手段によれば、ＰＯＳレジスタの前に精算者が立った場合、該ＰＯＳレジスタより手前位置に、買い物する商品を置く為のスペースである商品載置部を設けることで、精算作業を安定して効率よく行うことができる。
【００１１】
前記備品収納部は、載置台における前記ＰＯＳレジスタの固定位置と反対側の端部で且つＰＯＳレジスタと対面する精算者と対向する位置に配置し、更に載置台の厚さ内に形成する（請求項５）。具体的には、例えば、該載置台を中空の扁平箱状に形成し、中に仕切りを設けて備品を種類毎に収納する。
上記手段によれば、精算者と対面する位置に備品収納部が備わっているので、精算者は備品の取り出しが容易になり、また、その備品収納部が載置台の厚さ内に形成されていることで空間を有効活用することができ、備品収納スペースの省スペース化を図ることができる。
【００１２】
また、前記備品収納部は載置台の厚さ内に引き出しをスライド可能に装着し、且つ前記載置台の天板に前記引き出しのスライド方向先端側を露出させる切欠き部を形成してもよい（請求項６）。
上記手段によれば、引き出しを引き出すことで備品の収納、取り出しを容易に行うことができる。しかも、載置台の天板の手前側に切欠き部が形成されていることで、引き出しを引き出さなくても該引き出しに収納されている備品を視認でき、精算者への備品の提供は勿論のこと、備品の補充作業を容易に行うことができる。
【００１３】
又、前記備品収納部としては載置台の厚さ内に設ける他に、前記備品収納部を設けた辺と交差する側辺上に第二備品収納部を設けてもよい（請求項７）。その第二備品収納部は箱形状、掛け枠形状など、いずれでもよい。
上記手段によれば、載置台の厚さ内に設けた備品収納部の他に、載置台上に第二の備品収納部があることで、より多くの備品を収納でき、顧客への備品提供の満足度を高めることができる。
【００１４】
本発明のＰＯＳレジスタ載置台を備えるＰＯＳレジスタ機器は、店舗等において商品の精算を行うカウンタ上に移動可能に配置されるＰＯＳレジスタ載置台であって、該載置台は、ＰＯＳレジスタを固定する為の接続部と、前記カウンタに対してＰＯＳレジスタを立設支持する底面と、買物に供する備品等を取り出し可能に保持する備品収納部と、を備え、前記備品収納部は載置台の厚さ内に引き出しをスライド可能に装着し、且つ前記載置台の天板に前記引き出しのスライド方向先端側を露出させる切欠き部を形成する（請求項８）。
上記手段によれば、引き出しを引き出すことで備品の収納、取り出しを容易に行うことができる。しかも、載置台の天板の手前側に切欠き部が形成されていることで、引き出しを引き出さなくても該引き出しに収納されている備品を視認でき、精算者への備品の提供は勿論のこと、備品の補充作業を容易に行うことができる。
【００１５】
本発明のＰＯＳレジスタ載置台を備えるＰＯＳレジスタ機器は、店舗等において商品の精算を行うカウンタ上に移動可能に配置されるＰＯＳレジスタ載置台であって、該載置台は、ＰＯＳレジスタを固定する為の接続部と、前記カウンタに対してＰＯＳレジスタを立設支持する底面と、買物に供する備品等を取り出し可能に保持する備品収納部と、を備え、前記備品収納部としては載置台の厚さ内に設ける他に、前記備品収納部を設けた辺と交差する側辺上に第二備品収納部を設ける（請求項９）。その第二備品収納部は箱形状、掛け枠形状など、いずれでもよい。
上記手段によれば、載置台の厚さ内に設けた備品収納部の他に、載置台上に第二の備品収納部があることで、より多くの備品を収納でき、顧客への備品提供の満足度を高めることができる。
【発明の効果】
【００１７】
本発明のＰＯＳレジスタ載置台は請求項１記載の構成により、ＰＯＳレジスタは接続部によって載置台に確実に載置固定でき、しかも載置台はカウンタ上を移動可能であるため、レジの配置位置を自由に変更できる。そして、載置台には買い物に供する備品を収納する備品収納部が備えられているため、ＰＯＳレジスタの配置位置変更のスペースさえ確保すれば備品の為のスペースを確保することなく該備品の移動も可能となる。よって、ＰＯＳレジスタの位置変更を容易にし、精算効率を下げることなく備品の提供を含めた精算作業の効率を高めることが可能となる。又、ＰＯＳレジスタの前に精算者が立った場合、該ＰＯＳレジスタより手前位置に商品載置部が存在することで、精算作業を安定して効率よく行うことができる。
又、請求項２記載の構成により、ＰＯＳレジスタは接続部によって載置台に確実に載置固定でき、しかも載置台はカウンタ上を移動可能であるため、レジの配置位置を自由に変更できる。そして、載置台には買い物に供する備品を収納する備品収納部が備えられているため、ＰＯＳレジスタの配置位置変更のスペースさえ確保すれば備品の為のスペースを確保することなく該備品の移動も可能となる。よって、ＰＯＳレジスタの位置変更を容易にし、精算効率を下げることなく備品の提供を含めた精算作業の効率を高めることが可能となる。更に、備品の収納、取り出しを容易に行うことができる。しかも、載置台の天板の手前側に切欠き部が形成されていることで、引き出しを引き出さなくても該引き出しに収納されている備品を視認でき、精算者への備品の提供は勿論のこと、備品の補充作業を容易に行うことができる。
又、請求項３記載の構成により、ＰＯＳレジスタは接続部によって載置台に確実に載置固定でき、しかも載置台はカウンタ上を移動可能であるため、レジの配置位置を自由に変更できる。そして、載置台には買い物に供する備品を収納する備品収納部が備えられているため、ＰＯＳレジスタの配置位置変更のスペースさえ確保すれば備品の為のスペースを確保することなく該備品の移動も可能となる。よって、ＰＯＳレジスタの位置変更を容易にし、精算効率を下げることなく備品の提供を含めた精算作業の効率を高めることが可能となる。更に、載置台により多くの備品を収納でき、顧客への備品提供の満足度を高めることができる。
【００１８】
本発明のＰＯＳレジスタ機器は請求項４記載の構成により、ＰＯＳレジスタは接続部によって載置台に確実に載置固定でき、しかも載置台はカウンタ上を移動可能であるため、レジの配置位置を自由に変更できる。そして、載置台には買い物に供する備品を収納する備品収納部が備えられているため、ＰＯＳレジスタの配置位置変更のスペースさえ確保すれば備品の為のスペースを確保することなく該備品の移動も可能となる。よって、ＰＯＳレジスタの位置変更を容易にし、精算効率を下げることなく備品の提供を含めた精算作業の効率を高めることが可能となる。ＰＯＳレジスタの前に精算者が立った場合、該ＰＯＳレジスタより手前位置に商品載置部が存在することで、精算作業を安定して効率よく行うことができる。
更に、請求項５記載の構成により、精算者と対面する位置に備品収納部が備わっているので、精算者は備品の取り出しが容易になり、また、その備品収納部が載置台の厚さ内に形成されていることで空間を有効活用することができ、備品収納スペースの省スペース化を図ることができる。
又、請求項６記載の構成により、備品の収納、取り出しを容易に行うことができる。しかも、載置台の天板の手前側に切欠き部が形成されていることで、引き出しを引き出さなくても該引き出しに収納されている備品を視認でき、精算者への備品の提供は勿論のこと、備品の補充作業を容易に行うことができる。
又、請求項７記載の構成により、載置台により多くの備品を収納でき、顧客への備品提供の満足度を高めることができる。
また、請求項８記載の構成により、ＰＯＳレジスタは接続部によって載置台に確実に載置固定でき、しかも載置台はカウンタ上を移動可能であるため、レジの配置位置を自由に変更できる。そして、載置台には買い物に供する備品を収納する備品収納部が備えられているため、ＰＯＳレジスタの配置位置変更のスペースさえ確保すれば備品の為のスペースを確保することなく該備品の移動も可能となる。よって、ＰＯＳレジスタの位置変更を容易にし、精算効率を下げることなく備品の提供を含めた精算作業の効率を高めることが可能となる。更に、備品の収納、取り出しを容易に行うことができる。しかも、載置台の天板の手前側に切欠き部が形成されていることで、引き出しを引き出さなくても該引き出しに収納されている備品を視認でき、精算者への備品の提供は勿論のこと、備品の補充作業を容易に行うことができる。
又、請求項９記載の構成により、ＰＯＳレジスタは接続部によって載置台に確実に載置固定でき、しかも載置台はカウンタ上を移動可能であるため、レジの配置位置を自由に変更できる。そして、載置台には買い物に供する備品を収納する備品収納部が備えられているため、ＰＯＳレジスタの配置位置変更のスペースさえ確保すれば備品の為のスペースを確保することなく該備品の移動も可能となる。よって、ＰＯＳレジスタの位置変更を容易にし、精算効率を下げることなく備品の提供を含めた精算作業の効率を高めることが可能となる。更に、載置台により多くの備品を収納でき、顧客への備品提供の満足度を高めることができる。
【発明を実施するための最良の形態】
【００１９】
以下、本発明に係るＰＯＳレジスタ載置台及びＰＯＳレジスタ載置台を備えるＰＯＳレジスタ機器の実施の形態を図面に基づいて説明する。
図１はＰＯＳレジスタ載置台にＰＯＳレジスタが載置固定された状態を示す図で、図中、ＡはＰＯＳレジスタ載置台で、該ＰＯＳレジスタ載置台Ａの上面（天板）にＰＯＳレジスタＢが載置固定され、且つ商品に付されたバーコードを読み取る読取部と決済の際、電子マネーカード等を読み取る為の電子マネー読取部１８が配置されており、ＰＯＳレジスタ載置台Ａはカウンタ２３上に移動可能に載置されている。
【００２０】
ＰＯＳレジスタ載置台Ａは、木製平板又は合板等で形成した天板１ａと底板１ｂを側板１ｃで連結して平面視矩形状をした中空の扁平箱体に構成され、天板１ａの大きさは今日周知の直立タイプのＰＯＳレジスタを載置可能な面積を備えた大きさを備え、更にＰＯＳレジスタＢを載置しても重量によって傾いたりせず、安定よく載承保持するだけの強度を備えたものとする。
又、ＰＯＳレジスタ載置台Ａの底板１ｂの大きさは、ＰＯＳレジスタＢを載承支持する載置台をカウンタ上に安定よく載置し得る面積を備えた大きさとする。
【００２１】
そして、前記載置台Ａの上面における奥側(載置台の前に立つ精算者から見て）にはＰＯＳレジスタＢを載置固定する接続部２が形成され、接続部２より手前側には商品載置部３が設けられている。
前記接続部２は、天板１ａ上にＰＯＳレジスタＢを載置固定する箇所で、天板１ａにはＰＯＳレジスタＢをネジ止め固定するネジ４を挿通するネジ通し孔５が複数個(図示例は４個）開設され、且つ前記ネジ４を締めたり緩めたりするための開口部６が底板１ｂに開設され、更にＰＯＳレジスタＢに接続されているコード類を引き出すためのコード通し孔７が前記ネジ通し孔５の略真中位置に開設されている。
【００２２】
前記商品載置部３は、精算者が購入精算しようとする商品（又は商品を載せたトレー等）を一時置くスペースで、ＰＯＳレジスタＢから天板１ａの前側縁までのスペースをさし、該部分にはＰＯＳレジスタＢを使用しての精算手順等を表記した説明シート８が貼付されている。
【００２３】
又、扁平箱体をなした中空のＰＯＳレジスタ載置台Ａには、天板１ａ上に載置固定したＰＯＳレジスタＢの接続部２と反対側の縁(精算者と対面する縁）からＰＯＳレジスタＢ側に向かって合成樹脂製の引き出し１０がスライド可能に装着された備品収納部９が形成されている。そして、天板１ａの手前側（前記引き出し１０の引き出し側）に切欠き部１１が形成されて前記引き出し１０の手前側が露出され、引き出し１０に収納されている備品ａがそのまま視認できるようになっている。
前記引き出し１０には仕切り１０ａが設けられて収納する備品ａを種類毎分けて収納できるようになっている。尚、仕切り１０ａは固定の仕切りに限定されず、備品の入れ替え等に応じて移動できるように可動タイプとしてもよい。
又、前記引き出し１０には収納した物品が遊ばないように押え板１２が設けられている。
尚、引き出し１０の備品収納部９に収納する備品としては、例えば紙袋、箸、スプーン、フォーク、ストロー等が挙げられる。
【００２４】
前記備品収納部９はＰＯＳレジスタ載置台Ａの厚さ内に設けられているが、載置台Ａの上面、即ち、図１に示すように天板１ａ上に第二備品収納部１３を設けてもよい。
第二備品収納部１３を設ける位置としては、前記商品載置部３のスペースを狭めず、且つ精算作業の邪魔にならない位置、即ち載置台における前側辺と交差する左右側辺上或いは左右側辺の何れか一方に配置されている。
載置台Ａの上に設ける第二備品収納部１３の形態としては、合成樹脂材或いは金属平板等で成形した箱筒１３ａ（図５参照）、或いは金属棒材などで形成した掛け枠１３ｂ（図１参照）等、何れでもよく、箱筒１３ａには立て掛け可能な箸、スプーン、フォーク、ストロー等を収納し、掛け枠１３ｂにはビニール製の買い物袋、紙袋等を収納する。そして、第二備品収納部１３はＰＯＳレジスタ載置台Ａの天板１ａにネジ止め、或いは接着剤等で固定する。
又、前記第二備品収納部１３は、載置台Ａ内に設ける備品収納部９の他に設ける、或いは備品収納部９を設けずに第二備品収納部１３だけを設けるなど、装備する備品の数などに応じて適宜選択可能である。
【００２５】
ＰＯＳレジスタ載置台Ａに載置固定するＰＯＳレジスタＢは、今日周知の直立タイプのレジスタで、表示部１４、レシート発行部１５、入力テンキー部１６（図示はカバーで覆われており、カバーを外してキー入力に切り換えることも可能）、及びバーコード読取部１７を備えており、更に電子マネー読取部１８が該載置台上に載置されている。尚、電子マネー読取部１８はＰＯＳレジスタＢと一体型でもよい。
直立タイプのＰＯＳレジスタとは、高さ寸法に対し幅寸法、奥行き寸法が小さいものをいう。
【００２６】
又、ＰＯＳレジスタ載置台Ａ’は中空の扁平箱体に限定されず、図５、６に示すように中実（例えば、厚さ２０ｍｍ）の木製平板１９で構成してもよい。その場合、ＰＯＳレジスタＢを載置固定する接続部２０は、ＰＯＳレジスタＢをネジ止め固定するためのネジ通し孔２０ａと、そのネジ通し孔２０ａに連続して形成したネジの頭部が嵌入する座ぐり部２０ｂとする。
又、ＰＯＳレジスタ載置台Ａ’に装備する備品収納部２１は、載置台の厚さ内に形成することが不可能である為、前示実施例で示した第二備品収納部１３と同様、載置台上に起立固定する。
その備品収納部２１は、図７に示すように、ＰＯＳレジスタ載置台Ａ’に対して精算者が対面する手前側を除く三辺（後側辺、左右側辺）に沿って樹脂製の囲い枠２２を起立固定し、その囲い枠２２の左右側面部の内側に、収納凹部２１ａを精算者と対向する方向に向けて配置し、更に買い物袋などを引掛け収納する掛け枠２１ｂが取り付けられている。尚、備品収納部２１としては、前示実施例における第二備品収納部１３を載置台上に起立固定してもよい。
以上説明した載置台Ａの大きさは、ＰＯＳレジスタＢを安定よく載置し得る底面積であればよいので限定されるものではないが、載置台Ａの奥行き寸法、幅寸法が直立タイプのＰＯＳレジスタの高さ寸法より若干小さい、同等、或いはそれより大きい寸法であれば、より直立タイプのＰＯＳレジスタを安定して配置させることができる。そして、前記のように載置台Ａの奥行き寸法、幅寸法が直立タイプのＰＯＳレジスタの高さ寸法より若干小さい、同等、或いはそれより大きい寸法とすることで、広い底面を有する載置台Ａになり、この広い底面を利用して多くの備品を保持する備品収納部を設けることが可能になる。
【００２７】
以上のように、ＰＯＳレジスタ載置台Ａ上にＰＯＳレジスタＢを載置固定し、そのＰＯＳレジスタ載置台Ａをカウンタ２３上に配置して精算作業を行う。図示の実施例は、顧客自身が商品登録／精算をする所謂「セルフレジ」の形態で、決済は電子マネーカードや電子マネーを記憶した携帯電話等による。
以下、顧客自身による商品登録／電子マネーカードでの決済について簡単に説明する。
（１）先ず、電子マネー決済に使用する電子マネーカードを電子マネー読取部１８に置き、次に表示部１４に表示された「買い物スタート」ボタンを押す。尚、先に表示部に表示されている「買い物スタート」ボタンを押し、次に電子マネーカードを電子マネー読取部にタッチする方式もある。
（２）購入しようとする商品についているバーコードを、バーコード読取部１７に近付けて商品登録（商品スキャン）を行う。商品登録を行う毎に小計画面が表示部１４に表示される。
（３）全ての商品の登録が完了したら、表示部１４に表示されている「お会計」ボタンを押す。
（４）表示部に表示された合計金額を確認し、電子マネー読取部１８に電子マネーカードをタッチする。支払いが完了すると完了音が鳴り、表示部１４に電子マネーによる支払いが完了した旨が表示される。
（５）顧客はレシート発行部１５から発行されるレシートを取り、電子マネー読取部１８から電子マネーカードを取る。そして、ＰＯＳレジスタ載置台Ａに設けられている備品収納部９、第二備品収納部１３から買い物袋やその他の備品（箸、スプーン、ストロー等）を取り、買い物袋に入れて買い物を完了する。
決済方式は電子マネーに限らず、例えば、顧客はＰＯＳレジスタで商品登録のみを行い、買上げデータをバーコード化して印字出力したレシートを店員がいるレジに持ち運び、該バーコードを読み取り精算するような形態で利用してもよい。
【００２８】
本発明は実施の形態に限定されるものではなく、発明の要旨を変更しない範囲で変更可能である。
（１）前記実施例では顧客自身が商品登録／精算を行う形態であったが、通常のＰＯＳレジスタのように店員が商品登録／精算を行う形態で利用してもよい。この場合、店員は備品収納部９と対面する位置に立ち、商品登録／精算作業を行い、顧客はＰＯＳレジスタＢの背面に位置するようになる。
（２）ＰＯＳレジスタ載置台に載置固定するＰＯＳレジスタは直立タイプに限定されず、高さ寸法より幅、奥行き寸法が長い据え置きタイプのＰＯＳレジスタであっても同様に接続部を介して載置台に確実に固定することができる。
（３）ＰＯＳレジスタ載置台の厚さ内に装備する備品収納部は、引き出しを備えず、該載置台の内部空間を備品収納部として利用してもよい。
（４）載置台上に垂直に立設する筒状の備品収納部は、精算者側に傾斜させて備品の取り出しを容易にしてもよい。
【図面の簡単な説明】
【００２９】
【図１】本発明に係るＰＯＳレジスタ載置台にＰＯＳレジスタを載置固定した状態を示す正面図。
【図２】同側面図。
【図３】（ａ）はＰＯＳレジスタ載置台のみを示す同平面図、（ｂ）は縦断側面図。
【図４】ＰＯＳレジスタ載置台に装備される備品収納部（引き出し）の変形例を示す同平面図。
【図５】ＰＯＳレジスタ載置台の他の例および載置台の上面に配置する第二備品収納部を示し、（ａ）は平面図、（ｂ）は側面図。
【図６】同縦断側面図。
【図７】第二備品収納部の変形例を示す正面図。
【符号の説明】
【００３０】
Ａ、Ａ’…ＰＯＳレジスタ載置台      Ｂ…ＰＯＳレジスタ
１ａ…天板                ２、２０…接続部
３…商品載置部          ９、２１…備品収納部
１０…引き出し                １１…切欠き部
１３…第二備品収納部          ２３…カウンタ
【図１】
0005233301.tif 000002
【図２】
0005233301.tif 000003
【図３】
0005233301.tif 000004
【図４】
0005233301.tif 000005
【図５】
0005233301.tif 000006
【図６】
0005233301.tif 000007
【図７】
0005233301.tif 000008